(57)【要約】【課題】  撮影画像データを記録した記録媒体を探すことなく再生画像を楽しむことのできる画像再生システムを提供する。【解決手段】  記録媒体の取り外し時にも再生画像を視聴可能である画像再生システムにおいて、制御部は、モニタ用画像データが既に生成されている撮影画像データに関する識別情報と当該撮影画像データの記録先の記録媒体との対応関係をメモリに記録し、記録媒体の接続時に撮影画像データの識別情報に基づいて、当該記録媒体に新規に記録された差分撮影画像データを抽出する。そして、画像処理部は、差分撮影画像データのモニタ用画像データを生成する。【選択図】  図１
2010011512.tif 000002
【特許請求の範囲】
【請求項１】
表示画面を備えたモニタと、
撮影画像データを記録した記録媒体が着脱可能に接続され、前記記録媒体のデータを読み出す記録媒体挿入部と、
前記モニタの画面解像度に対応する画像サイズのモニタ用画像データを前記撮影画像データに基づいて生成する画像処理部と、
前記モニタ用画像データを記録するメモリと、
前記モニタ用画像データに基づく再生画像を前記モニタに表示する再生モードを実行する制御部と、
を有し、
前記記録媒体の取り外し時にも再生画像を視聴可能であるとともに、
前記制御部は、前記モニタ用画像データが既に生成されている前記撮影画像データに関する識別情報と当該撮影画像データの記録先の記録媒体との対応関係を前記メモリに記録し、前記記録媒体の接続時に前記撮影画像データの識別情報に基づいて、当該記録媒体に新規に記録された差分撮影画像データを抽出し、
前記画像処理部は、前記差分撮影画像データの前記モニタ用画像データを生成することを特徴とする画像再生システム。
【請求項２】
表示画面を備えたモニタと、
撮影画像データを記録した記録媒体が着脱可能に接続され、前記記録媒体のデータを読み出す記録媒体挿入部と、
前記モニタの画面解像度に対応する画像サイズのモニタ用画像データを前記撮影画像データに基づいて生成する画像処理部と、
前記モニタ用画像データを記録するメモリと、
前記モニタ用画像データに基づく再生画像を前記モニタに表示する再生モードを実行する制御部と、
プリンタを接続可能な出力インターフェースと、
を有し、
前記記録媒体の取り外し時にも再生画像を視聴可能であるとともに、
前記制御部は、前記再生モードにおいて前記再生画像の印刷指定がある場合には前記再生画像に対応する前記撮影画像データを前記プリンタに出力し、前記撮影画像データを読み出せない場合には前記モニタに警告表示を出力させることを特徴とする画像再生システム。
【請求項３】
表示画面を備えたモニタと、
撮影画像データを記録した記録媒体が着脱可能に接続され、前記記録媒体のデータを読み出す記録媒体挿入部と、
前記モニタの画面解像度に対応する画像サイズのモニタ用画像データを前記撮影画像データに基づいて生成する画像処理部と、
前記モニタ用画像データを記録するメモリと、
前記モニタ用画像データに基づく再生画像を前記モニタに表示する再生モードを実行する制御部と、
を有し、
前記記録媒体の取り外し時にも再生画像を視聴可能であるとともに、
前記制御部は、前記モニタ用画像データに対応する前記撮影画像データの記録先の記録媒体に関するデータを前記メモリに記録し、前記再生モードにおいて表示中の再生画像に対応する前記撮影画像データの記録先の記録媒体を示す表示データを出力させることを特徴とする画像再生システム。
【請求項４】
請求項２または請求項３のいずれか１項に記載の画像再生システムにおいて、
前記制御部は、前記抽出された差分撮影画像データのうち、記録先の相違する前記撮影画像データと前記識別情報が一致した撮影画像データを前記差分撮影画像データから除外することを特徴とする画像再生システム。
【請求項５】
請求項１または請求項４に記載の画像再生システムにおいて
前記制御部は、前記抽出された差分撮影画像データのうち、記録先の相違する前記撮影画像データと前記識別情報が一致した撮影画像データを前記差分撮影画像データから除外することを特徴とする画像再生システム。
【請求項６】
請求項１から請求項５のいずれか１項に記載の画像再生システムにおいて、
前記画像処理部は、前記再生モードにおいて前記再生画像に対応する前記撮影画像データを読み出して前記再生画像の拡大表示画像を生成し、
前記制御部は、前記撮影画像データを読み出せない場合には前記モニタに警告表示を出力させることを特徴とする画像再生システム。
【請求項７】
請求項２または請求項６に記載の画像再生システムにおいて、
前記制御部は、前記モニタ用画像データに対応する前記撮影画像データの記録先の記録媒体に関するデータを前記メモリに記録し、前記撮影画像データを読み出せない場合には撮影画像データの記録先の記録媒体を示す表示を前記モニタに出力させることを特徴とする画像再生システム。
【請求項８】
請求項１から請求項７のいずれか１項に記載の画像再生システムにおいて、
前記メモリは、コネクタを介して交換可能に前記画像再生システムに接続されていることを特徴とする画像再生システム。
【請求項９】
請求項８に記載の画像再生システムにおいて、
前記制御部は、交換前の前記メモリに記録されたデータを交換後の前記メモリに複写可
能であることを特徴とする画像再生システム。
【請求項１０】
請求項１から請求項９のいずれか１項に記載の画像再生システムにおいて、
前記モニタ用画像データの画像サイズを指定可能な入力部をさらに有し、
前記画像処理部は、指定された画像サイズで前記モニタ用画像データを生成することを特徴とする画像再生システム。
【請求項１１】
請求項８または請求項９のいずれか１項に記載の画像再生システムにおいて、
前記画像処理部は、前記モニタ用画像データの生成時に前記メモリの最大記録容量に基づいて画像サイズを決定することを特徴とする画像再生システム。
【発明の詳細な説明】
【技術分野】
【０００１】
本発明は、カード型記録媒体等から撮影画像データを読み出して再生画像をモニタに表示する画像再生システムに関する。
【背景技術】
【０００２】
近年、撮像素子で撮影した被写体像の撮影画像データを半導体メモリ等のカード型記録媒体に記録する電子カメラが急速に普及しつつある。電子カメラのユーザーは、パーソナルコンピュータ等に撮影画像データを転送して撮影画像データの管理・保存を行うのが一般的であるが、近年ではカード型記録媒体を最終的な保存メディアとして利用しているユーザーも増加している。そして、上記のようにカード型記録媒体で撮影画像データを管理するユーザー等を対象として、カード型記録媒体から撮影画像データを読み出して再生表示する画像再生装置も公知である（特許文献１および特許文献２参照）。
【先行技術文献】
【特許文献】
【０００３】
【特許文献１】特開２００２−１３２７７６号公報
【特許文献２】特開２００３−３４６０８９号公報
【発明の概要】
【発明が解決しようとする課題】
【０００４】
しかし、上記特許文献１および特許文献２の画像再生装置では、カード型記録媒体を抜いた状態ではそのカード型記録媒体の撮影画像データを再生表示できない。そのため、多数のカード型記録媒体を所持するユーザーが特定の撮影画像データを再生しようとする場合、その撮影画像データを記録したカード型記録媒体を探すのに多大な労力を強いられる点で改善の余地があった。
【０００５】
特に、カード型記録媒体を最終的な保存メディアとするユーザー層には、パーソナルコンピュータの操作に抵抗感があるユーザーや、煩雑な編集作業等を嫌うユーザーも多いので、撮影画像データの管理をより簡易な手段で実現することが望まれている。
【０００６】
本発明は上記従来技術の課題を解決するためのものであって、その目的は、カード型記録媒体で撮影画像データを管理するユーザーが、撮影画像データを記録した記録媒体を探すことなく再生画像を楽しむことのできる画像再生システムを提供することである。
【課題を解決するための手段】
【０００７】
第１の発明に係る画像再生システムは、表示画面を備えたモニタと、撮影画像データを記録した記録媒体が着脱可能に接続され、前記記録媒体のデータを読み出す記録媒体挿入部と、前記モニタの画面解像度に対応する画像サイズのモニタ用画像データを前記撮影画像データに基づいて生成する画像処理部と、前記モニタ用画像データを記録するメモリと、前記モニタ用画像データに基づく再生画像を前記モニタに表示する再生モードを実行する制御部と、を有し、前記記録媒体の取り外し時にも再生画像を視聴可能であることを特徴とする。
【０００８】
第２の発明は、第１の発明において、前記制御部は、前記モニタ用画像データが既に生成されている前記撮影画像データに関する識別情報と当該撮影画像データの記録先の記録媒体との対応関係を前記メモリに記録し、前記記録媒体の接続時に前記撮影画像データの識別情報に基づいて、当該記録媒体に新規に記録された差分撮影画像データを抽出し、前記画像処理部は、前記差分撮影画像データの前記モニタ用画像データを生成することを特徴とする。
【０００９】
第３の発明は、第２の発明において、前記制御部は、前記抽出された差分撮影画像データのうち、記録先の相違する前記撮影画像データと前記識別情報が一致した撮影画像データを前記差分撮影画像データから除外することを特徴とする。
【００１０】
第４の発明は、第１から第３のいずれかの発明において、プリンタを接続可能な出力インターフェースをさらに有し、前記制御部は、前記再生モードにおいて前記再生画像の印刷指定がある場合には前記再生画像に対応する前記撮影画像データを前記プリンタに出力し、前記撮影画像データを読み出せない場合には前記モニタに警告表示を出力させることを特徴とする。
【００１１】
第５の発明は、第１から第３のいずれかの発明において、前記画像処理部は、前記再生モードにおいて前記再生画像に対応する前記撮影画像データを読み出して前記再生画像の拡大表示画像を生成し、前記制御部は、前記撮影画像データを読み出せない場合には前記モニタに警告表示を出力させることを特徴とする。
【００１２】
第６の発明は、第４または第５の発明において、前記制御部は、前記モニタ用画像データに対応する前記撮影画像データの記録先の記録媒体に関するデータを前記メモリに記録し、前記撮影画像データを読み出せない場合には撮影画像データの記録先の記録媒体を示す表示を前記モニタに出力させることを特徴とする。
【００１３】
第７の発明は、第１から第３のいずれかの発明において、前記制御部は、前記モニタ用画像データに対応する前記撮影画像データの記録先の記録媒体に関するデータを前記メモリに記録し、前記再生モードにおいて表示中の再生画像に対応する前記撮影画像データの記録先の記録媒体を示す表示データを出力させることを特徴とする。
【００１４】
第８の発明は、第１から第７のいずれかの発明において、前記メモリは、コネクタを介して交換可能に前記画像再生システムに接続されていることを特徴とする。
【００１５】
第９の発明は、第８の発明において、前記制御部は、交換前の前記メモリに記録されたデータを交換後の前記メモリに複写可能であることを特徴とする。
【００１６】
第１０の発明は、第１から第９のいずれかの発明において、前記モニタ用画像データの画像サイズを指定可能な入力部をさらに有し、前記画像処理部は、指定された画像サイズで前記モニタ用画像データを生成することを特徴とする。
【００１７】
第１１の発明は、第８または第９の発明において、前記画像処理部は、前記モニタ用画像データの生成時に前記メモリの最大記録容量に基づいて画像サイズを決定することを特徴とする。
【００１８】
（作用）
第１の発明では、撮影画像データに基づいて画像処理部が生成したモニタ用画像データをメモリに記録する。再生モードではメモリからモニタ用画像データを読み出して再生画像をモニタに表示する。そのため、撮影画像データを記録した記録媒体を装置に挿入することなく再生画像を視聴できる。また、撮影画像データをその都度解像度変換して再生画像を生成する場合と比べて、再生画像の表示時間を高速化することが可能となる。
【００１９】
第２の発明では、記録媒体の接続時において新規に記録された差分撮影画像データの分だけモニタ用画像データを生成する。そのため、同一の記録媒体から過去に読み出された撮影画像データと重複するモニタ用画像データが生成されることはない。
【００２０】
第３の発明では、記録先の相違する撮影画像データと同一の撮影画像データについてはモニタ用画像データを生成しない。そのため、異なる記録媒体間で同一の撮影画像データが複数記録されている場合でも、重複するモニタ用画像データが生成されることはない。
【００２１】
第４の発明では、再生画像の印刷指定がある場合には撮影画像データをプリンタに出力する。撮影画像データを読み出せない場合にはモニタに警告表示が出力される。
【００２２】
第５の発明では、再生モードにおいて撮影画像データを読み出して再生画像の拡大表示画像を生成する。撮影画像データを読み出せない場合にはモニタに警告表示が出力される。
【００２３】
第６の発明では、撮影画像データを読み出せない場合には撮影画像データの記録先の記録媒体を示す表示がモニタに出力される。そのため、ユーザーは所望の撮影画像データを記録したカード型記録媒体を探すことが容易となる。
【００２４】
第７の発明では、再生モードにおいて表示中の再生画像に対応する撮影画像データの記録先の記録媒体を示す表示がモニタに出力される。そのため、ユーザーは所望の撮影画像データを記録したカード型記録媒体を探すことが容易となる。
【００２５】
第８の発明では、モニタ用画像データを記録するメモリを交換できるので、画像再生装置の拡張性が向上する。
【００２６】
第９の発明では、交換前のメモリに記録されたデータを交換後のメモリに複写できるので、メモリ交換時においてもモニタ用画像データ等を承継することができる。
【００２７】
第１０の発明では、ユーザーの指定した画像サイズでモニタ用画像データを生成するので、ユーザーの意図を反映した解像度でモニタ用画像データが生成される。
【００２８】
第１１の発明では、メモリの最大記録容量に基づいて画像サイズを決定するので、メモリの最大記録容量が小さい場合には画像サイズを小さくしてモニタ用画像データのフレーム数を優先させることができる。
【発明の効果】
【００２９】
本発明によれば、撮影画像データに基づいて画像処理部が生成したモニタ用画像データをメモリに記録し、再生モードではメモリからモニタ用画像データを読み出して再生画像をモニタに表示する。そのため、再生モードでは撮影画像データを記録した記録媒体を装置に挿入することなく再生画像を視聴できるので、ユーザーは多数の記録媒体から撮影画像データを記録した記録媒体を探すことなく所望の再生画像を楽しむことができる。
【図面の簡単な説明】
【００３０】
【図１】本実施形態の画像再生装置のブロック図
【図２】本実施形態の画像再生装置の外観を示す斜視図
【図３】液晶表示部の表示例の図
【図４】本実施形態におけるモニタ用画像データの生成動作の流れ図
【図５】再生画像のプリント指定時の動作を示す流れ図
【図６】拡大再生画像の生成動作を示す流れ図
【発明を実施するための形態】
【００３１】
以下、図面に基づいて本発明の実施形態を詳細に説明する。
【００３２】
（本実施形態の画像データ管理装置の構成）
図１は本実施形態の画像再生装置のブロック図であって、図２は本実施形態の画像再生装置の外観を示す斜視図である。本実施形態の画像再生装置１はテレビ２などに接続される。そして、画像再生装置１は、公知のカード型記録媒体３（半導体メモリ、マイクロドライブなど）から電子カメラで撮影した撮影画像データを読み出して、再生画像をテレビ２に表示するものである。
【００３３】
本実施形態の画像再生装置１は、複数のカードスロット４と、再生画像用メモリスロット５と、画像処理部６と、バッファメモリ７と、表示インターフェース８と、ＵＳＢインターフェース９と、操作部１０と、カード用表示部１１と、前面表示パネル１２と、各部を接続するデータバス１４と、制御部１５とを有している。
【００３４】
カードスロット４は画像再生装置１の筐体上面に前後３基ずつ合計６基が設けられている。各カードスロット４にはカード型記録媒体３が着脱可能に接続される。カードスロット４内にはデータバス１４と接続されている電気接点（図示を省略する）が形成されており、該電気接点を介してカード型記録媒体３と画像再生装置１との間でデータの読み書きが行われる。
【００３５】
また、画像再生装置１の筐体上面にはカードスロット４の後側にダミースロット１６が複数形成されている（図２参照）。このダミースロット１６はカード型記録媒体３を挿して保管するためのカードスタンドであって、データの読み書き機能は有していない。なお、カード型記録媒体３の識別性を高めるために、カードスロット４およびダミースロット１６の挿入深さは、カード型記録媒体３の挿入状態において貼付したラベルが視認できる深さに設定されている。
【００３６】
再生画像用メモリスロット５は画像再生装置１の筐体背面側（図示を省略する）に形成され、上記のカードスロット４と同様に構成されている。再生画像用メモリスロット５に挿入されたカード型記録媒体（以下、再生画像用カード型記録媒体１７と称する）には、後述のモニタ用画像データおよび管理データが記録される。
【００３７】
画像処理部６は圧縮伸長回路等を有する画像処理用ＡＳＩＣである。画像処理部６は、カードスロット４のカード型記録媒体３から読み出した撮影画像データに解像度変換を施してモニタ用画像データを生成する。また、画像処理部６はモニタ用画像データに基づいて再生画像の画像信号を出力する。なお、バッファメモリ７は画像処理部６の処理中に画像データを一時退避させたり、装置の各種設定内容を保存するためのメモリである。
【００３８】
表示インターフェース８は画像処理部６の画像信号をテレビ２に出力するためのインターフェースである。この表示インターフェース８は、例えば、コンポジット映像端子、セパレート映像端子、コンポーネント映像端子、Ｄ映像端子などの公知の映像出力端子を有している。また、表示インターフェース８は、例えばＤ映像端子のプラグ挿入検出ピンの出力に基づいて、テレビ２と接続されている映像出力端子を検出できるようになっている。なお、本実施形態では表示インターフェース８の各映像出力端子は画像再生装置１の筐体背面側に形成されている。
【００３９】
ＵＳＢインターフェース９は、画像再生装置１に接続された周辺機器（例えば、フォトプリンタ等）とのデータ送受信をＵＳＢ（Universal Serial Bus）の通信規格に準拠して制御する。なお、本実施形態ではＵＳＢインターフェース９のＵＳＢ接続端子は画像再生装置１の筐体背面側に形成されている。
【００４０】
操作部１０は、筐体前面に配置されたスライドショーボタン１０ａ、プリントボタン１０ｂ、削除ボタン１０ｃ、カーソルキー１０ｄおよび電源ボタン１０ｅと、筐体上面に配置されている６つの再生ボタン１０ｆとを有している。
【００４１】
スライドショーボタン１０ａは、再生画像用カード型記録媒体１７に記録されるモニタ用画像データをスライドショー表示するためのボタンである。プリントボタン１０ｂは、現在再生中の画像の印刷を指示するためのボタンである。削除ボタン１０ｃは、現在再生中の画像のモニタ用画像データ（または撮影画像データ）の削除を指示するためのボタンである。カーソルキー１０ｄは、設定モードで画面表示されるカーソルを移動させる場合等に使用される。また、再生ボタン１０ｆは各カードスロット４にそれぞれ対応し、各カードスロット４のカード型記録媒体３の画像を再生表示させるために使用される。
【００４２】
カード用表示部１１はアクセスランプ１１ａおよび液晶表示部１１ｂのセットで構成されている。このカード用表示部１１は筐体上面で各カードスロット４の近傍に６組が配置され、各カード用表示部１１はそれぞれ各カードスロット４に対応している。
【００４３】
アクセスランプ１１ａはカードスロット４にカード型記録媒体３が挿入されている状態で点灯し、カード型記録媒体３の読み書き時には点滅するようになっている。また、アクセスランプ１１ａはカード型記録媒体３の空き容量に応じて点灯時の色が変化するようになっている。したがって、ユーザーは所定の空き容量を有するカード型記録媒体３を一目で識別することができる。
【００４４】
一方、液晶表示部１１ｂには、カード型記録媒体３の最大記録容量および現在の記録量と、そのカード型記録媒体３中で最も新しい撮影日が表示される。また、液晶表示部１１ｂには、再生ボタン１０ｆによる再生表示の場合に、表示中の再生画像の番号とカード型記録媒体３に記録されている撮影画像データの総数とが表示される（図３参照）。また、前面表示パネル１２は筐体前面に配置された液晶表示部であって、スライドショーボタン１０ａによるスライドショー表示の場合に、表示中の再生画像の番号とモニタ用画像データの総数とが表示される。
【００４５】
制御部１５は、例えば、再生画像を表示する「再生モード」や、テレビ２の設定画面を参照しつつ画像再生装置１の各種設定等を行う「設定モード」等のモード切替や、カード用表示部１１および前面表示パネル１２の表示制御などの各部動作制御を実行する。また、制御部１５は、再生画像用メモリスロット５に装着されて電気的に接続された再生画像用カード型記録媒体１７の記録データを、カードスロット４のカード型記録媒体３あるいは交換後の新たな再生画像用カード型記録媒体１７に複写するバックアップ機能を有している。
【００４６】
さらに、制御部１５は各モニタ用画像データ毎に管理データを生成し、再生画像用カード型記録媒体１７に管理データを記録する。ここで、管理データとしては、モニタ用画像データに対応する撮影画像データに関する識別情報（例えば、ファイル名、撮影日時、データ量、ファイルの種類など）と、その撮影画像データの記録先であるカードスロット４のカード型記録媒体３の識別情報とが対応付けられて記録される。
【００４７】
ここで、カード型記録媒体３の識別情報には、例えば、カード内部レジスタに記録された固有のデータ（カード型記録媒体３の製造者名、カード毎のシリアル番号、容量など）や、ボリューム名のデータなどが該当する。なお、カード型記録媒体３のカードスロット４への初回接続時に、制御部１５がカード型記録媒体３の識別情報として各カードを識別するための独自情報をカードスロット４に接続されたカード型記録媒体３に書き込んで、この独自情報と対応するデータを再生画像用メモリスロット５に装着された再生画像用カード型記録媒体１７の管理データに記録するようにしてもよい。
【００４８】
（モニタ用画像データの生成動作）
以下、図４の流れ図に沿って、本実施形態におけるモニタ用画像データの生成動作を説明する。
【００４９】
ユーザーは撮影画像データが記録されたカード型記録媒体３をカードスロット４に装着する（Ｓ１０１）。これによって、装着されたカード型記録媒体３は、カードスロット４、データバス１４を介して制御部１５と電気的に接続される。
【００５０】
次に、制御部１５は挿入されたカード型記録媒体３の識別情報を読み出して、再生画像用メモリスロット５に装着された再生画像用カード型記録媒体１７に記録される管理データを検索し、管理データからＳ１０１でカードスロット４に装着されたカード型記録媒体３に対応する撮影画像データを抽出する（Ｓ１０２）。
【００５１】
制御部１５はカードスロット４のカード型記録媒体３に現在記録されている撮影画像データの識別情報をカードスロット４のカード型記録媒体３から読み出して、再生画像用カード型記録媒体１７に記録されているＳ１０２の撮影画像データの識別情報と照合する。そして、制御部１５は照合結果に基づいてカードスロット４のカード型記録媒体３に新規に記録された差分撮影画像データを抽出する（Ｓ１０３）。すなわち、Ｓ１０３の段階では、同一の記録媒体から過去に読み出された撮影画像データを除外してモニタ用画像データが生成されることとなる。
【００５２】
制御部１５は各差分撮影画像データの識別情報を、管理データ上で記録先の相違する撮影画像データの識別情報と照合する（Ｓ１０４）。なお、Ｓ１０３の段階で差分撮影画像データが存在しない場合には、制御部１５はＳ１０４の工程を行うことなくＳ１０７に移行する。
【００５３】
制御部１５はＳ１０５において管理データ中に撮影画像データの識別情報が一致するものがあるか否かを判定する。一致する撮影画像データの識別情報がある場合（ＹＥＳ側）には、制御部１５はＳ１０４で撮影画像データの識別情報が一致したすべての撮影画像データを差分撮影画像データから除外する（Ｓ１０６）。すなわち、Ｓ１０６の段階では、異なる記録媒体間で同一の撮影画像データが複数記録されている場合には、重複するモニタ用画像データの生成が排除される。一方、一致する撮影画像データの識別情報がない場合（ＮＯ側）にはＳ１０７に移行する。
【００５４】
制御部１５はカードスロット４に装着されたＳ１０１のカード型記録媒体３に差分撮影画像データが不存在であるか否かを判定する（Ｓ１０７）。差分撮影画像データが不存在である場合（ＹＥＳ側）には、制御部１５は「更新する撮影画像データがない」旨の表示をテレビ２に表示（Ｓ１０８）させてからモニタ用画像データの生成動作を終了する。一方、差分撮影画像データが存在している場合（ＮＯ側）には、制御部１５は差分撮影画像データに基づいてモニタ用画像データを生成する指示を画像処理部６に対して行う（Ｓ１０９）。
【００５５】
ここで、Ｓ１０９で画像処理部６が生成するモニタ用画像データの画像サイズは、以下の（１）から（４）のいずれかの手段で決定される。
【００５６】
（１）第１の方法として、表示インターフェース８がテレビ２と接続されている映像出力端子を検出し、この映像出力端子に対応する画面解像度に応じて画像処理部６がモニタ用画像データの画像サイズを決定する。
【００５７】
具体的には、表示インターフェース８がＤ１またはＤ２映像端子の接続を検出したときは、画像処理部６はアスペクト比が４：３の撮影画像データでは画像サイズを６４０×４８０に設定し、アスペクト比が３：２の撮影画像データでは画像サイズを７２０×４８０に設定する。また、Ｄ４映像端子の接続を検出したときは、画像処理部６はアスペクト比が４：３の撮影画像データでは画像サイズを９６０×７２０に設定し、アスペクト比が３：２の撮影画像データでは画像サイズを１０８０×７２０に設定する。
【００５８】
さらに、Ｄ３またはＤ５映像端子の接続を検出したときは、画像処理部６はアスペクト比が４：３の撮影画像データでは画像サイズを１４４０×１０８０に設定し、アスペクト比が３：２の撮影画像データでは画像サイズを１６２０×１０８０に設定する。一方、いずれの映像端子の接続も検出できない場合には、画像処理部６はアスペクト比が４：３の撮影画像データでは画像サイズを６４０×４８０に設定し、アスペクト比が３：２の撮影画像データでは画像サイズを７２０×４８０に設定する。
【００５９】
（２）第２の方法として、設定モードにおいてモニタ用画像データの画像サイズを指定する項目を設け、ユーザーが指定した画像サイズで画像処理部６がモニタ用画像データを生成するようにしてもよい。なお、設定モードでの画像サイズ指定は、予め用意された複数の画像サイズの候補からユーザーが選択するものであってもよく、ユーザーが数値入力で画像サイズを自由に変更できるようにしてもよい。
【００６０】
（３）第３の方法として、画像処理部６は筐体背面の映像端子の規格で最も高解像度の画像サイズに合わせてモニタ用画像データを生成するようにしてもよい。例えば、画像再生装置１がＤ１からＤ４までのＤ映像端子を有する場合には、画像処理部はＤ３映像端子の解像度に対応する画像サイズでモニタ用画像データを生成する。なお、モニタ用画像データの再生時にテレビの解像度とモニタ用画像データの画像サイズが一致しない場合には、画像処理部６は接続されたテレビ２の解像度に応じて再生画像を間引きして表示する。
【００６１】
（４）第４の方法として、画像処理部６は、再生画像用メモリスロット５のカード型記録媒体３の最大記録容量に基づいて画像サイズを決定してもよい。例えば、カード型記録媒体３の最大記録容量が６４ＭＢ以下であれば画像サイズを６４０×４８０（または７２０×４８０）に設定し、カード型記録媒体３の記録容量増加に伴って画像サイズを段階的に大きくしていってもよい。
【００６２】
そして、制御部１５は上記のモニタ用画像データの生成終了後に、「モニタ用画像データの生成が終了しました」との表示をテレビ２に表示させる（Ｓ１１０）。以上でモニタ用画像データの生成動作が終了する。なお、このようにして生成されたモニタ用画像データは、再生画像用メモリスロット５の再生画像用カード型記録媒体１７に記録される。
【００６３】
（モニタ用画像データの再生動作）
次に、本実施形態におけるモニタ用画像データの再生動作を説明する。
【００６４】
再生モードでは、制御部１５が再生画像用メモリスロット５の再生画像用カード型記録媒体１７からモニタ用画像データを読み出し、画像処理部６がモニタ用画像データに基づいて再生画像の画像信号を出力することでテレビ２に再生画像が表示される。したがって、カードスロット４にカード型記録媒体３を接続していなくても、ユーザーは所望の再生画像を楽しむことができる。
【００６５】
また、再生モードでは、制御部１５は管理データに基づいて再生画像に対応する撮影画像データの記録先を検索し、当該記録先のカード型記録媒体３に関する表示をテレビ２に表示することができる。例えば、制御部１５は管理データにおけるカード型記録媒体３の識別情報に基づいて、カード型記録媒体３の容量、製造メーカ、ボリューム名などをテレビ２に表示させる。したがって、かかる表示によって、ユーザーは所望の撮影画像データを記録したカード型記録媒体３を探すことが容易となる。なお、再生モードでは、制御部１５は複数のモニタ用画像データの縮小画像を一覧表示するインデックス再生表示を実行することもできる。この場合、再生画像用カード型記録媒体１７に記録されているモニタ用画像データを画像処理部６が解像度変換することで縮小画像が生成される。
【００６６】
また、ユーザーがスライドショーボタン１０ａを押すと、制御部１５はすべてのモニタ用画像データの再生画像を管理データに基づいて順次表示するスライドショーを開始する。スライドショーでの表示順は、制御部１５が撮影画像データのファイル名順または撮影日時順などの条件で管理ファイルを再配列して適宜変更できる。なお、上記のスライドショーでは、表示中の再生画像の番号とモニタ用画像データの総数とが前面表示パネル１２に表示される。
【００６７】
さらに、カードスロット４にカード型記録媒体３が接続されている状態では、制御部１５は、カード型記録媒体３の最大記録容量、空き容量、最も新しい撮影日をカード型記録媒体３から読み出して、これらの情報をカード用表示部１１ｂに表示する。また、カード型記録媒体３がカードスロット４に装着（接続）されている状態でユーザーが再生ボタン１０ｆを押すと、制御部１５はそのカードスロット４に対応する再生画像をテレビ２に順次表示する。
【００６８】
具体的には、再生ボタン１０ｆの入力により、制御部１５はカードスロット４のカード型記録媒体３から識別情報を読み出し、管理データに基づいてそのカード型記録媒体３に対応するモニタ用画像データを再生画像用カード型記録媒体１７に記録されているモニタ用画像データの中から抽出する。そして、画像処理部６は抽出されたモニタ用画像データの再生画像信号をテレビ２に順次出力する。したがって、ユーザーは再生ボタンを押すことで、カードスロット４に装着（接続）されたカード型記録媒体３にどのような撮影画像データが記録されているかを容易に把握することができる。
【００６９】
また、各再生画像の表示中に所定の操作を行うことで再生画像のプリントや再生画像の拡大表示を行うこともできる。これらの場合には、制御部１５はカードスロット４のカード型記録媒体３から再生画像に対応する撮影画像データを読み出して、プリンタへの印刷出力や画像処理部による拡大表示画像の生成を行うこととなる。したがって、プリント時や拡大再生時には解像度の高い撮影画像データを使用することで、ユーザーは高画質の印刷物を得ることができ、拡大再生画像の解像度を向上させることができる。
【００７０】
図５は再生画像のプリント指定時の動作を示す流れ図である。ユーザーが再生画像の表示中にプリントボタン１０ｂを押すと、制御部１５は再生中のモニタ用画像データに対応する管理データ（再生画像に対応する撮影画像データの識別情報およびその記録先のカード型記録媒体の識別情報）を再生画像用カード型記録媒体１７から読み出す（Ｓ２０１）。次に制御部１５は各カードスロット４に接続されているカード型記録媒体３の識別情報を各々のカード型記録媒体３から読み出す（Ｓ２０２）。
【００７１】
制御部１５はＳ２０１およびＳ２０２でのカード型記録媒体の識別情報を照合し、撮影画像データの記録先であるカード型記録媒体３が接続されているか（識別情報が一致するか）否かを判定する（Ｓ２０３）。接続されている場合（ＹＥＳ側）はＳ２０５に移行する。一方、接続されていない場合（ＮＯ側）には、制御部１５は「表示中の画像に対応する撮影画像データのカード型記録媒体を挿入して下さい」との警告と、記録先のカード型記録媒体３を特定するための表示とをテレビ２に表示し（Ｓ２０４）、その後にＳ２０２に戻る。
【００７２】
制御部１５はカード型記録媒体の識別情報が一致したカード型記録媒体３から撮影画像データの識別情報を読み出して検索し、再生画像に対応する撮影画像データが存在するか否かを判定する（Ｓ２０５）。撮影画像データが存在する場合（ＹＥＳ側）には、制御部１５は再生画像に対応する撮影画像データをカード型記録媒体３から読み出して、ＵＳＢインターフェース９で接続されたプリンタに出力する（Ｓ２０６）。一方、撮影画像データが存在しない場合（ＮＯ側）には、制御部１５は「再生画像に対応する撮影画像データが削除されている」旨をテレビ２に表示する（Ｓ２０７）。以上でプリント指定時の一連の動作が終了する。
【００７３】
図６は拡大再生画像の生成動作を示す流れ図である。なお、図６では画像処理部６が再生画像に対応する撮影画像データに基づいて拡大再生画像を生成し、制御部１５が拡大再生画像をテレビ２に出力する（Ｓ３０６）点を除けば図５とほぼ一致するので、その詳細な説明は省略する。
【００７４】
なお、上述のＳ２０４，Ｓ２０７，Ｓ３０４，Ｓ３０７における表示は、例えば前面表示パネル１２などのテレビ２とは別の表示装置で表示されてもよい。
【００７５】
（実施形態の補足事項）
以上、本発明を上記の実施形態によって説明してきたが、本発明の技術的範囲は上記実施形態に限定されるものではない。
【００７６】
（１）本発明の画像再生装置のカードスロットの数は実施形態に限定されることなく、設計変更により増減することができる。例えば、本発明において画像再生装置のカードスロットの数は１基だけであってもよい。また、管理データにおける撮影画像データに関する識別情報は上記実施形態に限定されず、例えば、Ｅｘｉｆ規格の画像ファイルに記録される撮影条件等のデータであってもよい。
【００７７】
（２）上記実施形態において、モニタ用画像データおよび管理データをバッファメモリに記録するようにしてもよい。なお、バッファメモリは電源が供給されなくともその記録内容が保持される不揮発性メモリであることが望ましい。
【００７８】
（３）上記実施形態のモニタ用画像データの生成動作において、撮影画像データの画像サイズが決定されている画像サイズを下回る場合には撮影画像データを記録するようにしてもよい。また、生成されたモニタ用画像データを記録する際、再生画像用カード型記録媒体のメモリが容量不足になった場合には、警告表示をテレビに表示したり、過去のモニタ用画像データを順次消去するようにしてもよい。
【００７９】
（４）上記実施形態のモニタ用画像データの再生動作において、表示中の再生画像に対応する撮影画像データが検出されないとき（Ｓ２０７、Ｓ３０７）は、モニタ用画像データに基づいて印刷出力および拡大再生画像の生成を行うようにしてもよい。また、モニタ用画像データの再生動作において、バッファメモリに再生順データおよび再生経過を保存し、スライドショー表示を途中で中断した場合に続きから表示できるようにしてもよい。
【産業上の利用可能性】
【００８０】
本発明は、例えば、電子カメラの撮影画像データをテレビ等で再生するためのカード型記録媒体用ビューアに適用することができる。
【符号の説明】
【００８１】
１  画像再生装置
２  テレビ
３  カード型記録媒体
４  カードスロット
５  再生画像用メモリスロット
６  画像処理部
７  バッファメモリ
８  表示インターフェース
９  ＵＳＢインターフェース
１０  操作部
１０ａ  スライドショーボタン
１０ｂ  プリントボタン
１０ｃ  削除ボタン
１０ｄ  カーソルキー
１０ｅ  電源ボタン
１０ｆ  再生ボタン
１１  カード用表示部
１１ａ  アクセスランプ
１１ｂ  液晶表示部
１２  前面表示パネル
１４  データバス
１５  制御部
１６  ダミースロット
１７  再生画像用カード型記録媒体
【図１】
2010011512.tif 000003
【図２】
2010011512.tif 000004
【図３】
2010011512.tif 000005
【図４】
2010011512.tif 000006
【図５】
2010011512.tif 000007
【図６】
2010011512.tif 000008